(57)【要約】【課題】改装作業を煩雑化することなく、既設開口枠が取り付けられた枠用開口部の任意の位置に新たな開口枠を取り付ける。【解決手段】見込み面に既設戸当たり部１０１ａが突出する既設開口枠１００と既設額縁部材１２０とが取り付けられた枠用開口部１に新設開口枠１０を取り付けることにより構成される改装用建具であって、新設開口枠１０の新設枠部材１１は既設額縁部材１２０の外表面に配設した固定用支持部材３０を介して躯体の枠用開口部１に取り付けられており、固定用支持部材３０の固定側縁部３１は既設開口枠１００の既設戸当たり部１０１ａよりも室内側に配置され、枠支持側縁部３２は枠用開口部１の見付け方向において既設開口枠１００の既設戸当たり部１０１ａよりも内方側を通過して室外側に配置されており、既設額縁部材１２０を通過して躯体に達する固定ネジ部材４１により既設額縁部材１２０に固定され、かつ枠支持側縁部３２に新設開口枠１０の新設枠部材１１が取り付けられる。【選択図】図１
2015034380.tif 000002
【特許請求の範囲】
【請求項１】
見込み面に戸当たり部を有する既設開口枠が取り付けられた躯体の枠用開口部に対して新たな開口枠を取り付けることにより構成される改装用建具であって、
新たな開口枠は少なくとも上枠部材及び左右の縦枠部材を備え、これらの枠部材は固定用支持部材を介して前記躯体の枠用開口部に取り付けられており、
前記固定用支持部材は、固定側縁部と枠支持側縁部とを有し、前記固定側縁部は既設開口枠の戸当たり部よりも室内側に配置され、前記枠支持側縁部は枠用開口部の見付け方向において前記既設開口枠の戸当たり部よりも内方側を通過して室外側に配置されており、前記固定側縁部を介して固定ネジ部材により前記躯体に固定され、かつ前記枠支持側縁部に新たな開口枠の枠部材が取り付けられることを特徴とする改装用建具。
【請求項２】
新たな開口枠の各枠部材は、室内側に位置する内方枠部分と、室外側に位置する外方枠部分とを備え、前記内方枠部分及び前記外方枠部分のそれぞれを枠ネジ部材によって前記固定用支持部材の枠支持側縁部に取り付けたことを特徴とする請求項１に記載の改装用建具。
【請求項３】
新たな開口枠の各枠部材は、室内側に位置する内方枠部分と、室外側に位置する外方枠部分と、これら内方枠部分及び外方枠部分の間に介在させた断熱材から成る断熱部材とを備え、前記内方枠部分及び前記外方枠部分のそれぞれを枠ネジ部材によって前記固定用支持部材の枠支持側縁部に取り付けたことを特徴とする請求項１に記載の改装用建具。
【請求項４】
前記固定用支持部材の枠支持側縁部は、室内側に位置する内方支持部と室外側に位置する外方支持部とを有し、前記内方支持部は既設開口枠の見込み方向に沿って延在し、前記外方支持部は前記内方支持部の室外側縁部から既設開口枠に近接する方向に屈曲して延在しており、
新たな開口枠の各枠部材は、前記内方枠部分が前記固定用支持部材の内方支持部に取り付けられ、かつ前記外方枠部分が前記固定用支持部材の外方支持部に取り付けられることを特徴とする請求項２または請求項３に記載の改装用建具。
【請求項５】
新たな開口枠の各枠部材は、前記内方枠部分に戸当たり部を有しており、
前記各枠部材の内方枠部分は、個々の見込み面から枠ネジ部材を螺合させることによって前記固定用支持部材の枠支持側縁部に取り付けたことを特徴とする請求項２または請求項３に記載の改装用建具。
【請求項６】
前記固定用支持部材の固定側縁部を覆うように前記躯体の枠用開口部に新たな額縁部材を設けたことを特徴とする請求項１に記載の改装用建具。
【請求項７】
前記躯体の枠用開口部は、前記既設開口枠よりも室内側に位置する部分に既設額縁部材が設けられたものであり、
前記固定用支持部材の固定側縁部は、前記既設額縁部材を介して前記躯体に固定されることを特徴とする請求項１の改装用建具。
【請求項８】
前記固定用支持部材の固定側縁部と前記既設額縁部材との間にスペーサ部材を介在させたことを特徴とする請求項７に記載の改装用建具。
【発明の詳細な説明】
【技術分野】
【０００１】
本発明は、玄関ドアや開き窓等のように、開口枠の見込み面に戸当たり部を有した建具を改装対象とした改装用建具に関するものである。
【背景技術】
【０００２】
躯体の枠用開口部に設けられた建具を改装する場合には、工期の短縮化や施工コストを低減する目的で、開口枠や額縁部材を取り付けたままの状態で新たな開口枠を取り付けるようにした工法が多く用いられている。例えば、既設開口枠の見込み面に新たな開口枠を配設し、新たな開口枠の見込み面から躯体に達する固定ネジ部材を螺合させれば、既設開口枠を取り外すことなく躯体の枠用開口部に新たな開口枠を取り付けることが可能となる（例えば、特許文献１参照）。
【先行技術文献】
【特許文献】
【０００３】
【特許文献１】特開２００５−７６３９３号公報
【発明の概要】
【発明が解決しようとする課題】
【０００４】
ところで、建具の中には、玄関ドアや開き窓等のように、開口枠の見込み面に戸当たり部が設けられたものがある。戸当たり部は、面材であるドアパネルや障子が当接する部分であるため、開口枠の見込み面から突出して設けられている。このため、戸当たり部を有する開口枠が設けられた躯体の枠用開口部に対しては、戸当たり部を避けた位置に新たな開口枠を設けなければならず、建具の改装に制限が加えられることになる。もちろん、既設開口枠の戸当たり部を切断する等して除去すれば、任意の位置に新たな開口枠を設けることが可能となる。しかしながら、開口枠の戸当たり部は、開口枠を構成するそれぞれの枠部材の全長に渡って設けられたものであり、すべてを除去する作業は容易ではない。
【０００５】
本発明は、上記実情に鑑みて、改装作業を煩雑化することなく、既設開口枠が取り付けられた枠用開口部に対して任意の位置に新たな開口枠を取り付けることのできる改装用建具を提供することを目的とする。
【課題を解決するための手段】
【０００６】
上記目的を達成するため、本発明に係る改装用建具は、見込み面に戸当たり部を有する既設開口枠が取り付けられた躯体の枠用開口部に対して新たな開口枠を取り付けることにより構成される改装用建具であって、新たな開口枠は少なくとも上枠部材及び左右の縦枠部材を備え、これらの枠部材は固定用支持部材を介して前記躯体の枠用開口部に取り付けられており、前記固定用支持部材は、固定側縁部と枠支持側縁部とを有し、前記固定側縁部は既設開口枠の戸当たり部よりも室内側に配置され、前記枠支持側縁部は枠用開口部の見付け方向において前記既設開口枠の戸当たり部よりも内方側を通過して室外側に配置されており、前記固定側縁部を介して固定ネジ部材により前記躯体に固定され、かつ前記枠支持側縁部に新たな開口枠の枠部材が取り付けられることを特徴とする。
【０００７】
この発明によれば、新たな開口枠が取り付けられる固定用支持部材の枠支持側端部が、枠用開口部の見付け方向において既設開口枠の戸当たり部よりも内方側を通過して室外側に設けられるため、戸当たり部を除去することなく枠支持側縁部を介して任意の位置に新たな開口枠を取り付けることができる。
【０００８】
また、本発明は、上述した改装用建具において、新たな開口枠の各枠部材は、室内側に位置する内方枠部分と、室外側に位置する外方枠部分とを備え、前記内方枠部分及び前記外方枠部分のそれぞれを枠ネジ部材によって前記固定用支持部材の枠支持側縁部に取り付けたことを特徴とする。
【０００９】
また、本発明は、上述した改装用建具において、新たな開口枠の各枠部材は、室内側に位置する内方枠部分と、室外側に位置する外方枠部分と、これら内方枠部分及び外方枠部分の間に介在させた断熱材から成る断熱部材とを備え、前記内方枠部分及び前記外方枠部分のそれぞれを枠ネジ部材によって前記固定用支持部材の枠支持側縁部に取り付けたことを特徴とする。
【００１０】
これらの発明によれば、外方枠部分及び内方枠部分を備えた開口枠を枠支持側縁部に取り付けることができる。
【００１１】
また、本発明は、上述した改装用建具において、前記固定用支持部材の枠支持側縁部は、室内側に位置する内方支持部と室外側に位置する外方支持部とを有し、前記内方支持部は既設開口枠の見込み方向に沿って延在し、前記外方支持部は前記内方支持部の室外側縁部から既設開口枠に近接する方向に屈曲して延在しており、新たな開口枠の各枠部材は、前記内方枠部分が前記固定用支持部材の内方支持部に取り付けられ、かつ前記外方枠部分が前記固定用支持部材の外方支持部に取り付けられることを特徴とする。
【００１２】
この発明によれば、枠部材の内方枠部分及び外方枠部分をそれぞれ固定用支持部材に取り付けているため、仮に断熱部材が焼失したとしても、内方枠部分及び外方枠部分が脱落する事態を防止することができる。
【００１３】
また、本発明は、上述した改装用建具において、新たな開口枠の各枠部材は、前記内方枠部分に戸当たり部を有しており、前記各枠部材の内方枠部分は、個々の見込み面から枠ネジ部材を螺合させることによって前記固定用支持部材の枠支持側縁部に取り付けたことを特徴とする。
【００１４】
この発明によれば、戸当たり部を有した枠部材の内方枠部分を枠ネジ部材によって固定用支持部材の枠支持側縁部に取り付けることができる。
【００１５】
また、本発明は、上述した改装用建具において、前記固定用支持部材の固定側縁部を覆うように前記躯体の枠用開口部に新たな額縁部材を設けたことを特徴とする請求項１に記載の改装用建具。
【００１６】
この発明によれば、固定用支持部材の固定側縁部が外部に露出しないため、改装用建具の外観品質を損なう恐れがない。
【００１７】
また、本発明は、上述した改装用建具において、前記躯体の枠用開口部は、前記既設開口枠よりも室内側に位置する部分に既設額縁部材が設けられたものであり、前記固定用支持部材の固定側縁部は、前記既設額縁部材を介して前記躯体に固定されることを特徴とする。
【００１８】
この発明によれば、既設額縁部材が設けられた枠用開口部に対して新たな開口枠を取り付けることが可能となる。
【００１９】
また、本発明は、上述した改装用建具において、前記固定用支持部材の固定側縁部と前記既設額縁部材との間にスペーサ部材を介在させたことを特徴とする。
【００２０】
この発明によれば、スペーサ部材の寸法を調整することにより、戸当たり部の突出長さが異なる既設開口枠に対しても同一の固定用支持部材を用いて建具の改装を行うことができる。
【発明の効果】
【００２１】
本発明によれば、新たな開口枠が取り付けられる固定用支持部材の枠支持側端部が、枠用開口部の見付け方向において既設開口枠の戸当たり部よりも内方側を通過して室外側に設けられるため、戸当たり部を除去することなく枠支持側縁部を介して任意の位置に新たな開口枠を取り付けることができ、建具の改装作業が煩雑化する事態を招来することがない。
【図面の簡単な説明】
【００２２】
【図１】図１は、本発明の実施の形態である改装用建具を躯体の枠用開口部に取り付けた状態の縦断面図である。
【図２】図２は、図１に示した改装用建具の横断面図である。
【図３】図３は、図１に示した改装用建具を室外側から見た図である。
【図４】図４は、図１に示した改装用建具を取り付ける躯体の枠用開口部を示す縦断面図である。
【図５】図５は、図１に示した改装用建具の枠部材を示す断面図である。
【図６−１】図６−１は、図５に示した枠部材を枠用開口部に取り付ける状態の要部縦断面図である。
【図６−２】図６−２は、図５に示した枠部材を枠用開口部にネジ止めした状態の要部縦断面図である。
【図６−３】図６−３は、図５に示した枠部材を枠用開口部にネジ止めした後、枠部材と外壁部材との間に化粧枠を取り付け、さらに枠部材に額縁保持部材を取り付けた状態の要部縦断面図である。
【発明を実施するための形態】
【００２３】
以下、添付図面を参照しながら本発明に係る改装用建具の好適な実施の形態について詳細に説明する。
【００２４】
図１及び図２は、本発明の実施の形態である改装用建具を躯体の枠用開口部に取り付けた状態を示すもので、特に、玄関ドアを改装する場合に用いる改装用建具を例示している。図には明示していないが、玄関ドアが設けられる枠用開口部１は、玄関床Ｆから立設した左右の柱（躯体）１ａの上端部間にまぐさ（躯体）１ｂを設けることによって構成されたものである。
【００２５】
改装対象となる既設の玄関ドアは、図１、図２、図４に示すように、開口枠１００、ドアパネル１１０及び額縁部材１２０を備えている。尚、以下においては改装用の新たな建具と区別するため、改装対象となる既設の玄関ドアの各構成要素に「既設」という接頭語を付してそれぞれを説明する。
【００２６】
既設開口枠１００は、既設上枠部材１０１、既設下枠部材１０２及び左右の既設縦枠部材１０３を四周枠組みすることによって構成されたものである。既設上枠部材１０１、既設下枠部材１０２及び既設縦枠部材１０３は、アルミニウムもしくはアルミニウム合金によって成形した押し出し型材であり、それぞれが全長に渡ってほぼ一様な断面形状を有するように構成されている。それぞれの既設枠部材１０１，１０２，１０３は、枠用開口部１の見込み面において室外側に位置する部分に取り付けられている。具体的には既設上枠部材１０１がまぐさ１ｂに取り付けられ、既設縦枠部材１０３が柱１ａに取り付けられている。既設下枠部材１０２については、玄関床Ｆに打設したモルタルに直接埋め込む形で取り付けられている。
【００２７】
既設ドアパネル１１０は、図には明示していないが、互いに左右の幅が異なる２枚のパネルを室外側に向けて観音開きとなるように、既設開口枠１００の内部に並設した状態で支持されている。図２及び図４からも明らかなように、各既設枠部材１０１，１０２，１０３の見込み面には、既設戸当たり部１０１ａ，１０２ａ，１０３ａが設けられている。既設戸当たり部１０１ａ，１０２ａ，１０３ａは、既設開口枠１００に対して既設ドアパネル１１０を閉じた場合に既設ドアパネル１１０に当接するヒレ状部分である。それぞれの既設戸当たり部１０１ａ，１０２ａ，１０３ａは、既設枠部材１０１，１０２，１０３の見込み面において室内側に位置する縁部から枠内方に向けて突出している。尚、図には明示していないが、既設戸当たり部１０１ａ，１０２ａ，１０３ａにおいて既設ドアパネル１１０に当接する部分には、既設ドアパネル１１０に当接することによって既設ドアパネル１１０との間に水密性を確保するためのパッキン材が設けられている。
【００２８】
既設額縁部材１２０は、木質材によって成形した平板状部材であり、枠用開口部１の見込み面において既設上枠部材１０１及び既設縦枠部材１０３よりも室内側に位置する部分を覆うように設けられている。
【００２９】
一方、枠用開口部１に取り付けられる改装用建具は、図１〜図３に示すように、開口枠１０の内部に大小２つのドアパネル２０ａ，２０ｂを左右に並設し、かつ室外側に向けて観音開きとなるように支持させたものである。尚、以下においては既設玄関ドアの構成要素と区別するため、改装用建具の各構成要素に「新設」という接頭語を付してそれぞれを説明する。
【００３０】
新設開口枠１０は、新設上枠部材１１、左右の新設縦枠部材１３及び新設下枠部材１２を四周枠組みすることによって構成したものである。新設開口枠１０の外形寸法は、既設開口枠１００の内部に収容することができるように設定してある。
【００３１】
本実施の形態では特に、新設上枠部材１１及び新設縦枠部材１３として、それぞれが内方枠部分１１Ａ，１３Ａ及び外方枠部分１１Ｂ，１３Ｂを備えて構成したものを適用している。内方枠部分１１Ａ，１３Ａ及び外方枠部分１１Ｂ，１３Ｂは、枠用開口部１に対して互いに見込み方向に沿って並設されるものである。内方枠部分１１Ａ，１３Ａ及び外方枠部分１１Ｂ，１３Ｂとしては、アルミニウムもしくはアルミニウム合金によって成形した押し出し型材を適用しており、それぞれが全長に渡ってほぼ一様な断面形状を有するように構成してある。
【００３２】
内方枠部分１１Ａ，１３Ａは、図５及び図６−１に示すように、新設上枠部材１１及び新設縦枠部材１３において室内側に配置される部分である。それぞれの内方枠部分１１Ａ，１３Ａにおいて枠用開口部１の見込み面に対向する部分には、全長に渡って開口が設けてある。個々の内方枠部分１１Ａ，１３Ａには、内方嵌合溝１１Ａ１，１３Ａ１及び新設戸当たり部１１Ａ２，１３Ａ２が設けてある。内方嵌合溝１１Ａ１，１３Ａ１は、内方枠部分１１Ａ，１３Ａの室外側に位置する見付け面に設けた凹状部分であり、内方枠部分１１Ａ，１３Ａの長手方向に沿って形成してある。新設戸当たり部１１Ａ２，１３Ａ２は、既設戸当たり部１０１ａ，１０３ａと同様、内方枠部分１１Ａ，１３Ａの見込み面から枠内方に向けて突出したヒレ状部分であり、内方枠部分１１Ａ，１３Ａの室外側に位置する縁部に設けてある。
【００３３】
外方枠部分１１Ｂ，１３Ｂは、新設上枠部材１１及び新設縦枠部材１３において室外側に配置される部分であり、断面がほぼ台形の角筒状に形成してある。図５及び図６−１からも明らかなように、外方枠部分１１Ｂ，１３Ｂは、見付け方向に沿った寸法及び見込み方向に沿った寸法が、それぞれ内方枠部分１１Ａ，１３Ａよりも大きく（本実施の形態では２倍以上と）なるように構成してある。個々の外方枠部分１１Ｂ，１３Ｂには、外方嵌合溝１１Ｂ１，１３Ｂ１が設けてある。外方嵌合溝１１Ｂ１，１３Ｂ１は、外方枠部分１１Ｂ，１３Ｂの室内側に位置する見付け面に設けた凹状部分であり、外方枠部分１１Ｂ，１３Ｂの長手方向に沿って形成してある。
【００３４】
これら内方枠部分１１Ａ，１３Ａ及び外方枠部分１１Ｂ，１３Ｂは、内方嵌合溝１１Ａ１，１３Ａ１及び外方嵌合溝１１Ｂ１，１３Ｂ１に断熱部材１１Ｃ，１３Ｃを装着した状態で、それぞれネジ止めすることによって固定用支持部材３０に連結してある。断熱部材１１Ｃ，１３Ｃは、合成樹脂材等のように、内方枠部分１１Ａ，１３Ａ及び外方枠部分１１Ｂ，１３Ｂに比べて熱伝導率の低い部材によって成形したもので、内方嵌合溝１１Ａ１，１３Ａ１及び外方嵌合溝１１Ｂ１，１３Ｂ１に嵌合保持させることにより、内方枠部分１１Ａ，１３Ａと外方枠部分１１Ｂ，１３Ｂとを互いに熱的に遮断した状態で相互に連結している。
【００３５】
固定用支持部材３０は、固定側縁部３１及び枠支持側縁部３２を金属板によって一体に構成したものである。固定側縁部３１は、室内側に配置される部分であり、平板状に形成してある。枠支持側縁部３２は、平板状を成す内方支持面部（内方支持部）３２ａの両側縁部に外方支持面部（外方支持部）３２ｂ及び立上り部３２ｃを有したもので、立上り部３２ｃの端縁を介して固定側縁部３１に連続している。外方支持面部３２ｂは、内方支持面部３２ａの室外側に位置する縁部から直角方向に屈曲して延在する平板状部分である。立上り部３２ｃは、内方支持面部３２ａの室内側に位置する縁部から外方支持面部３２ｂと同じ方向にほぼ平行となるように屈曲して延在する平板状部分である。図５からも明らかなように、立上り部３２ｃの見付け方向に沿った寸法は、外方支持面部３２ｂの見付け方向に沿った寸法よりも小さくなるように形成してある。
【００３６】
この固定用支持部材３０には、枠支持側縁部３２に対して内方支持面部３２ａに内方枠部分１１Ａ，１３Ａがネジ止めしてあるとともに、外方支持面部３２ｂに外方枠部分１１Ｂ，１３Ｂがネジ止めしてある。具体的には、内方枠部分１１Ａ，１３Ａの見込み面から固定用支持部材３０の内方支持面部３２ａに枠ネジ部材３３を螺合させ、かつ固定用支持部材３０の外方支持面部３２ｂから外方枠部分１１Ｂ，１３Ｂに枠ネジ部材３４を螺合させることによって枠支持側縁部３２に内方枠部分１１Ａ，１３Ａ及び外方枠部分１１Ｂ，１３Ｂが取り付けてある。図５からも明らかなように、固定用支持部材３０の内方支持面部３２ａに内方枠部分１１Ａ，１３Ａをネジ止めした状態においては、内方枠部分１１Ａ，１３Ａの見込み面と外方枠部分１１Ｂ，１３Ｂの見込み面とがほぼ同一の平面上に位置し、かつ、外方支持面部３２ｂの外周側端縁と外方枠部分１１Ｂ，１３Ｂにおいて枠用開口部１の見込み面に対向する外周側面とが互いにほぼ同一平面上に位置している。
【００３７】
新設下枠部材１２については、図１に示すように、既設下枠部材１０２と同様、アルミニウムもしくはアルミニウム合金によって成形した単一の押し出し型材であり、それぞれが全長に渡ってほぼ一様な断面形状を有するように構成したものを適用している。本実施の形態では、見込み方向に沿った寸法が既設下枠部材１０２よりも十分に大きく形成された新設下枠部材１２を適用している。新設下枠部材１２において室内側に位置する部分には、新設戸当たり部１２Ａ２が設けてある。
【００３８】
上記のように構成された新設開口枠１０を枠用開口部１に取り付ける場合には、まず、図４に示すように、既設開口枠１００から既設ドアパネル１１０を取り外した状態とする。その後、新設下枠部材１２にあっては、図１に示すように、既設下枠部材１０２よりも室外側となる部分にスペーサＳを介して取付台Ｂを設け、この取付台Ｂと既設下枠部材１０２との間に架設するように取り付ける。具体的には、新設下枠部材１２の室内側に位置する部分から既設下枠部材１０２の見込み面にネジ部材Ｎを螺合させるとともに、新設下枠部材１２の室外側に位置する部分を取付台Ｂに係合させることによって枠用開口部１に新設下枠部材１２を取り付ける。新設下枠部材１２と玄関の床面ＦＭとの間に段差が生じた場合には、玄関の床面ＦＭに段差緩和部材Ｄを配設することによってこれを緩和することが好ましい。
【００３９】
一方、新設上枠部材１１及び新設縦枠部材１３については、図６−１及び図６−２に示すように、既設額縁部材１２０において最も室外側となる部分にスペーサ部材４０を配設し、さらにスペーサ部材４０の見込み面に固定用支持部材３０の固定側縁部３１を重ね合わせた状態で固定ネジ部材４１を螺合させる。スペーサ部材４０としては、既設額縁部材１２０から突出する既設戸当たり部１０１ａ，１０３ａの突出量よりも大きな板厚を有したものを適用する。また、既設枠部材１０１，１０３の見込み面には、新設枠部材１１，１３の外方枠部分１１Ｂ，１３Ｂとの隙間を埋めるための補助スペーサ部材４２を配設することが好ましい。固定ネジ部材４１としては、スペーサ部材４０及び既設額縁部材１２０を通過して、躯体であるまぐさ１ｂもしくは柱１ａに達する長さを有したものを適用する。
【００４０】
その後、図６−３に示すように、新設上枠部材１１及び新設縦枠部材１３の外方枠部分１１Ｂ，１３Ｂと外壁部材５０との間に化粧枠６０を取り付け、さらに、図１及び図２に示すように、額縁保持部材７０を介して内方枠部分１１Ａ，１３Ａに新設額縁部材７１，７２を設け、固定用支持部材３０の固定側縁部３１を新設額縁部材７１，７２によって覆うようにすれば、躯体の枠用開口部１に新たな開口枠１０が取り付けられることになる。
【００４１】
上記のようにして新設上枠部材１１及び新設縦枠部材１３を取り付けた場合には、図１及び図２に示すように、固定用支持部材３０の枠支持側縁部３２が、枠用開口部１の見付け方向において既設開口枠１００の戸当たり部１０１ａ，１０３ａよりも内方側を通過して室外側に設けられるため、既設戸当たり部１０１ａ，１０３ａを除去することなく固定用支持部材３０の枠支持側縁部３２を介して任意の位置に新設上枠部材１１及び新設縦枠部材１３を取り付けることができるようになり、建具の改装作業が煩雑化する事態を招来することがない。
【００４２】
尚、上述した実施の形態では、玄関ドアを改装する場合に適用する改装用建具を例示しているが、必ずしも玄関ドアに限らず、開き窓等、見込み面に戸当たり部が突出する既設開口枠を備えた既設建具を改装するものにも適用することが可能である。また、玄関ドアの改装に適用する場合に上述した実施の形態では、２枚のドアパネルを備えたものを例示しているが、これに限定されない。さらに、既設額縁部材１２０が取り付けられた枠用開口部１に対して新たな開口枠１０を設けるようにしているが、改装対象となる枠用開口部１は必ずしも既設額縁部材１２０が取り付けられている必要はない。既設額縁部材１２０が取り付けられていない枠用開口部１に対しては、例えば直接固定ネジ部材によって固定用支持部材をまぐさや柱に固定すれば良い。
【００４３】
また、上述した実施の形態では、スペーサ部材４０を介して固定用支持部材３０を取り付けるようにしているため、スペーサ部材４０の寸法を調整することにより、既設戸当たり部１０１ａ，１０３ａの突出長さが異なる既設開口枠１００に対しても同一の固定用支持部材３０を用いて建具の改装を行うことができるが、必ずしもスペーサ部材を設ける必要はなく、直接固定用支持部材を取り付けるようにしても良い。さらに、固定用支持部材の形状は、実施のものに限らず、枠支持側縁部が、枠用開口部１の見付け方向において既設開口枠１００の戸当たり部１０１ａ，１０３ａよりも内方側を通過して室外側に配置されるものであれば、その他の形状であってももちろん良い。特に実施の形態のごとく、スペーサ部材を介して固定用支持部材を取り付けた場合には、固定用支持部材が必ずしも立上り部を有している必要もない。
【００４４】
また、上述した実施の形態では、新設上枠部材１１及び新設縦枠部材１３として、内方枠部分１１Ａ，１３Ａと外方枠部分１１Ｂ，１３Ｂとを断熱部材１１Ｃ，１３Ｃによって連結したものを適用しているが、新設枠部材としては、必ずしも内方枠部分と外方枠部分との間に連結部材を備えている必要はない。さらに、新設枠部材は、内方枠部分及び外方枠部分を備えたものに限らず、内方枠部分及び外方枠部分が一体となったものを適用しても構わない。尚、内方枠部分１１Ａ，１３Ａと外方枠部分１１Ｂ，１３Ｂとを断熱部材１１Ｃ，１３Ｃによって連結させた新設上枠部材１１及び新設縦枠部材１３を適用する場合に上述した実施の形態では、固定用支持部材３０に対して内方枠部分１１Ａ，１３Ａ及び外方枠部分１１Ｂ，１３Ｂのそれぞれを枠ネジ部材３３，３４によって取り付けるようにしているため、仮に火災時に断熱部材が焼失した場合にも内方枠部分１１Ａ，１３Ａ及び外方枠部分１１Ｂ，１３Ｂが脱落する事態を防止することが可能である。しかしながら、内方枠部分１１Ａ，１３Ａ及び外方枠部分１１Ｂ，１３Ｂのいずれか一方のみを固定用支持部材３０に取り付けるようにしても構わない。
【符号の説明】
【００４５】
１      枠用開口部
１ａ      柱
１ｂ      まぐさ
１０      新設開口枠
１１      新設上枠部材
１１Ａ，１３Ａ      内方枠部分
１１Ｂ，１３Ｂ      外方枠部分
１１Ｃ，１３Ｃ      断熱部材
１３      新設縦枠部材
２０ａ，２０ｂ      ドアパネル
３０      固定用支持部材
３１      固定側縁部
３２      枠支持側縁部
３３      枠ネジ部材
３４      枠ネジ部材
４０      スペーサ部材
４１      固定ネジ部材
７１      新設額縁部材
１００      既設開口枠
１０１      既設上枠部材
１０１ａ，１０３ａ      既設戸当たり部
１０３      既設縦枠部材
１１０      既設ドアパネル
１２０      既設額縁部材
【図１】
2015034380.tif 000003
【図２】
2015034380.tif 000004
【図３】
2015034380.tif 000005
【図４】
2015034380.tif 000006
【図５】
2015034380.tif 000007
【図６−１】
2015034380.tif 000008
【図６−２】
2015034380.tif 000009
【図６−３】
2015034380.tif 000010